(57)【要約】【課題】複数の記憶媒体に格納された画像を画像管理ファイルで管理する画像表示装置において、当該画像管理ファイルが存在しない画像であっても簡単な操作で画像管理ファイル対象にできる画像表示装置を提供することを目的とする。【解決手段】内蔵メモリと外部メモリに記憶されている画像を表示すると共に、プリント予約等の画像管理を行う画像を選択し（ＳＴ１１）、外部メモリが存在する場合には、この外部メモリに画像管理ファイル（ＤＰＯＦ）を生成・書込みを行い（ＳＴ１７〜ＳＴ２１）、内蔵メモリに副画像管理ファイル（サブＤＰＯＦ）を生成・書込みを行う。【選択図】  図５
2007166355.tif 000002
【特許請求の範囲】
【請求項１】
撮像して得られた画像を表示する画像表示装置であって、
上記撮像によって得られた画像データを第1記憶部に記憶するための第1記憶手段と、
この第1の記憶部とは異なる第2の記憶部に、画像データを記憶するための第2記憶手段と、
上記第1記憶部及び又は上記第2記憶部に記憶された上記画像データを表示するための表示手段と、
少なくとも上記画像データの保存場所を管理するための管理ファイルを生成する管理ファイル生成手段と、
上記画像データから所望の画像データを上記管理ファイルで管理するために指示する指示手段と、
この指示手段によって指示された画像データと上記管理ファイルとが異なる記憶部に記憶されているときには、少なくとも上記指示された画像データの主画像を上記管理ファイルの管理する記憶部にコピーするとともに、上記画像データに関連する情報を管理ファイルに記録するように制御する制御手段と
を具備したことを特徴とする画像表示装置。
【請求項２】
上記第1記憶部は、上記画像表示装置内に設けられた内蔵メモリであり、上記第2記憶部は、上記画像表示装置に装着可能または上記画像表示装置の外部に設けられたメモリであることを特徴とする請求項１に記載の画像表示装置。
【請求項３】
上記管理ファイル生成手段は、予め設定された記憶部に生成されることを特徴とする請求項１に記載の画像表示装置。
【請求項４】
上記管理ファイルが複数ある場合、上記管理ファイルを選択する管理ファイル記憶部選択手段をさらに有し、
選択された記憶部に上記管理ファイルが生成されることを特徴とする請求項１に記載の画像表示装置。
【請求項５】
上記管理ファイルを生成するときは、上記画像表示装置の外部に設けられたメモリに管理ファイルを生成した後に、この画像表示装置内に設けられた内蔵メモリに保存された画像に応じた副管理ファイルを生成することを特徴とする請求項1に記載の画像表示装置。
【請求項６】
上記副管理ファイルは、この副管理ファイルが管理するメモリ部に記憶された画像データのみを管理することを特徴とする請求項５に記載の画像表示装置。
【請求項７】
上記管理ファイルと上記副管理ファイルのうち優先的に使用する管理ファイルを選択する選択手段を更に有することを特徴とする請求項５に記載の画像表示装置。
【請求項８】
上記指示された画像データを表示するとともに、上記管理ファイルと上記副管理ファイルのうち、指示された画像データを管理する管理ファイルを識別可能に表示する表示手段を更に有することを特徴とする請求項１に記載の画像表示装置。
【発明の詳細な説明】
【技術分野】
【０００１】
本発明は、画像を取り込み、この取り込んだ画像データを内蔵メモリや外部メモリ等に記憶すると共に、この記憶された画像データを表示する画像表示装置に関し、例えば、デジタルカメラ、カメラ付きの携帯電話、カメラ付きのＰＤＡ（Personal Digital Assistant）等の画像取込装置の付いた情報機器における画像表示装置に関する。
【背景技術】
【０００２】
デジタルカメラ等の画像取込機器において、ＣＣＤ（Charge Coupled Device）等の撮像部によって取り込んだ電子画像データは、機器本体の内蔵メモリまたはこの機器に装着可能な外部メモリに記憶可能に構成されるとともに、この電子画像データに基づいて画像をＬＣＤ（Liquid Crystal Display）等において表示するように構成されている。また、電子画像データに基づいてプリントを行うために、ＤＰＯＦ（Digital Print Order Format）と呼ばれる統一規格があり、この規格によれば、外部メモリ等の記憶媒体に記憶された電子画像に対してどの電子画像を何枚プリントするかといった管理情報を、電子画像データと関連付けて記録することができる。
【０００３】
また、内蔵メモリと外部メモリの両方に記憶された電子画像データをインデックス表示し、記憶されている記憶媒体を示すと共に、電子画像を選択すると他方の記憶媒体に電子画像をコピーする情報機器が提案されている(特許文献１)。
【特許文献１】特開２００５−２２３５７６
【発明の開示】
【発明が解決しようとする課題】
【０００４】
特許文献１には、複数の記憶媒体に記憶された電子画像データを表示することは開示されているが、電子画像データと関連付けて記憶されるＤＰＯＦ等の画像管理ファイルを、複数の記憶媒体に記録することについては何等開示されていない。ひとつの電子画像データをコピーして他の記憶媒体にその電子画像データを記憶する場合、複数の記憶媒体に画像管理ファイルを生成するようにすると、この画像管理ファイルに対して追加・修正を行った場合、複数ある画像管理ファイルのデータが一致しなくなる可能性がある。一致していない場合に、いずれの画像管理用ファイルに従ってプリント等すべきかといった画像管理上の問題が生ずる。
【０００５】
本発明は、このような事情を考慮してなされたものであり、複数の記憶媒体に格納された画像データを画像管理ファイルで管理する画像表示装置において、当該画像管理ファイルが存在しない画像であっても簡単な操作で画像管理ファイルを、管理対象にできる画像表示装置を提供することを目的とする。
【課題を解決するための手段】
【０００６】
上記目的を達成するための第1の発明に係る画像表示装置は、撮像して得られた画像を表示する画像表示装置であって、上記撮像によって得られた画像データを第１記憶部に記憶するための第１記憶手段と、この第１の記憶部とは異なる第２の記憶部に、画像データを記憶するための第２記憶手段と、上記第1記憶部及び又は上記第２記憶部に記憶された上記画像データを表示するための表示手段と、少なくとも上記画像データの保存場所を管理するための管理ファイルを生成する管理ファイル生成手段と、上記画像データから所望の画像データを上記管理ファイルで管理するために指示する指示手段と、この指示手段によって指示された画像データと上記管理ファイルとが異なる記憶部に記憶されているときには、少なくとも上記指示された画像データの主画像を上記管理ファイルの管理する記憶部にコピーするとともに、上記画像データに関連する情報を管理ファイルに記録するように制御する制御手段とを具備したことを特徴とする
【０００７】
また、第２の発明に係る画像表示装置は、上記第１の発明において、上記第１記憶部は、上記画像表示装置内に設けられた内蔵メモリであり、上記第２記憶部は、上記画像表示装置に装着可能または上記画像表示装置の外部に設けられたメモリであることを特徴とする。
さらに、第３の発明に係る画像表示装置は、上記第１の発明において、上記管理ファイル生成手段は、予め設定された記憶部に生成されることを特徴とする。
さらに、第４の発明に係る画像表示装置は、上記第１の発明において、上記管理ファイルが複数ある場合、上記管理ファイルを選択する管理ファイル記憶部選択手段をさらに有し、選択された記憶部に上記管理ファイルが生成されることを特徴とする
さらに、第５の発明に係る画像表示装置は、上記第１の発明において、上記管理ファイルを生成するときは、上記画像表示装置の外部に設けられたメモリに管理ファイルを生成した後に、この画像表示装置内に設けられた内蔵メモリに保存された画像に応じた副管理ファイルを生成することを特徴とする。
さらに、第６の発明に係る画像表示装置は、上記第５の発明において、上記副管理ファイルは、この副管理ファイルが管理するメモリ部に記憶された画像データのみを管理することを特徴とする。
さらに、第７の発明に係る画像表示装置は、上記第５の発明において、上記管理ファイルと副管理ファイルのうち優先的に使用する管理ファイルを選択する選択手段を更に有することを特徴とする。
さらに、上記第８の発明に係る画像表示装置は、上記第１の発明において、上記指示された画像データを表示するとともに、上記管理ファイルと上記副管理ファイルのうち、指示された画像データを管理する管理ファイルを識別可能に表示する表示手段を更に有することを特徴とする。
【発明の効果】
【０００８】
本発明の画像表示装置は、当該画像管理ファイルが存在しない画像であっても簡単な操作で画像管理ファイル対象にできる画像表示装置を提供できる。
【発明を実施するための最良の形態】
【０００９】
以下、図面を参照してこの発明の第１実施形態を説明する。
図１は、この発明が適用されたデジタルカメラの構成を示すブロック図である。被写体像を形成するためのレンズ１の結像面には、ＣＣＤやＣＭＯＳ(Complementary Metal-Oxide Semiconductor)等の二次元撮像素子３が配置されており、この撮像素子３は撮像部５に接続されている。撮像部５は撮像素子３からアナログ画像信号を読み出し、デジタル画像信号に変換する。この撮像部５は、画像バッファメモリ７に接続されており、この画像バッファメモリ７は、一時的に画像データを記憶する。画像バッファメモリ７はデータバス２９を介してＣＰＵ（Central Processing Unit）２１等に接続されている。データバス２９には、前述のＣＰＵ２１の他に、表示処理部９、画像処理部１３、画像保存メモリ１５、圧縮伸張部１７、外部保存メモリ１９、外部インターフェース（Ｉ／Ｆ）２７が接続されている。
【００１０】
表示処理部９は、表示手段としての液晶（ＬＣＤ）表示部１１に接続されており、表示処理部９は、ＬＣＤ表示部１１に画像を表示するための表示処理を行う。画像処理部１３は色補正やガンマ補正等の画像処理を行うための処理部であり、画像保存メモリ１５は、デジタルカメラ本体内部の内蔵メモリであり、カメラ本体の電源がオフされた場合でも画像データを記憶保持できる書換え可能な不揮発性メモリで構成されている。圧縮伸張部１７は、画像バッファメモリ７に記憶された生の画像データを画像保存メモリ１５や外部保存メモリ１９に保存するために、生の画像データにＪＰＥＧ（Joint Photographic Experts Group）等の圧縮を行い、またＪＰＥＧ等の圧縮形式で記憶されている画像データをＬＣＤ表示部１１に表示等を行うために、伸張を行うための回路である。外部保存メモリ１９は、デジタルカメラ本体に対して着脱自在なメモリ（記憶媒体）であり、例えば、ｘＤピクチャーカード(登録商標)、コンパクトフラッシュ(登録商標)等が用いられ、画像データを記憶する。この外部メモリとしての外部保存メモリ１９は、ＣＰＵ２１からの命令に従って画像データが読出され・書込みが可能となっている。
【００１１】
ＣＰＵ２１は、ＲＯＭ（Read Only Memory）２３に接続され、このＲＯＭ２３に記憶されたプログラムに従って、デジタルカメラ全体を制御する。ＲＯＭ２３には、上記プログラムに加えて、ＬＣＤ表示部１１等に表示するためのアイコンデータが格納されており、またグループ管理データも格納されている。操作部２５は、デジタルカメラの操作を行うためのダイヤルと、ＬＣＤ表示部１１等でＸＹ方向に表示指示部を移動させるためのＸＹ釦と、このＸＹ釦によって選択された箇所の確定を行うためのＯＫ釦と、インデックス表示を行うためのインデックス選択釦と、プリント予約を行うためのプリント予約釦等の操作釦からなり、ＣＰＵ２１の表示制御部２１aに接続されている。
【００１２】
次に、このデジタルカメラの内蔵メモリとしての画像保存メモリ１５と外部メモリとしての外部保存メモリ１９に関して、両メモリに記憶記録されている画像データと画像管理データのファイルについて、図２を用いて説明する。デジタルカメラ（ここではデジタル一眼レフ（ＤＳＣ：Digital Still Camera））３１は、レンズ１を含む撮影レンズ機構３３を有し、このデジタルカメラ本体内部には、画像保存メモリ１５が配置されると共に、外部保存メモリ１９がカメラ本体に装着自在である。画像保存メモリ１５のフォルダ３７には、ＪＰＥＧ等で圧縮された画像データと画像管理用データとしてのサブＤＰＯＦファイルの記憶領域が設けられている。一方、外部メモリとしての外部保存メモリ１９のフォルダ４３には、ＪＰＥＧ等で圧縮された画像データと画像管理用データとしてのＤＰＯＦファイルの記憶領域が設けられている。
【００１３】
これらの画像データとＤＰＯＦファイルの構造について、図３を用いて説明する。１駒分の画像データは、画像データをファイル名等で表す属性情報５１、圧縮された画像データからなる主画像５３、一度に多数の画像を表示するために、小サイズの画像データで構成されるインデックス表示用サムネール画像５５、１駒表示用の中サイズの画像データで構成される１駒表示用画像５７とからなる。サムネール画像５５や１駒表示用画像５７は、主画像５３を基にして生成され、予め生成しておくことにより瞬時に表示することが可能となる。撮像された駒ごとに、これら５１から５７の各データを含んでいる。画像管理用データとしてのＤＰＯＦファイルは、画像ファイルとリンクをとるために画像ファイルの属性情報に対応した「参照先ファイル名」、プリントする枚数を記憶するための「枚数制御」、およびＤＰＯＦ記憶を行った「日付け」等とから構成されている。これらの画像管理ファイルはＴＥＸＴ情報で記録されている。
【００１４】
次に、画像管理用のＤＰＯＦファイルを書き込むメモリと、画像をコピーするタイミングについて、図４を用いて説明する。デジタルカメラの画像保存用メモリ１５（内蔵メモリ）の他に、画像データが記憶される記憶媒体として、装着可能な外部保存メモリ１９（外部メモリ）や、外部Ｉ／Ｆを介して接続される他のカメラの内蔵メモリもあり得る。そこで、これら記憶媒体と画像の関係は、図４に示すように、パターンa〜ｄの４通りある。
【００１５】
パターンaでは、デジタルカメラ本体に外部メモリが装着されている場合であり、この場合には、内蔵メモリに記憶されている画像データに対して、プリント予約する際に、その画像データが外部メモリにコピーされると共に、ＤＰＯＦファイル等の画像管理ファイルが外部メモリに書き込まれる。なお、カメラ本体の内蔵メモリには、後述するようにサブＤＰＯＦファイルが書き込まれる。パターンｂでは、外部Ｉ／Ｆを介して他のデジタルカメラと接続した場合であって、この場合には、他のデジタルカメラの内蔵メモリに記憶されている画像データを本デジタルカメラで表示すると共に、その画像データについてプリント予約することができる（具体例は第２実施形態で説明する）。プリント予約した際に本デジタルカメラに画像データをコピーすると共に、ＤＰＯＦファイル等の画像管理ファイルが本デジタルカメラの内蔵メモリに書き込まれる。パターンｃでは、今までのデジタルカメラと同じであって、内蔵メモリに記憶された画像データを表示すると共に、ＤＰＯＦファイルの読出・書込だけを行う場合であり、パターンｄは、外部メモリに記憶された画像データを表示すると共に、ＤＰＯＦファイルの読出・書込を行うだけの場合である。
【００１６】
次に、本発明の第１実施形態における動作を図５に示すフローチャートを用いて説明する。このフローチャートは、プリント予約のために操作部２５が操作されると開始する。まずステップＳＴ１１にて画像を選択する。この画像選択は、図６（Ａ）に示されるように、内蔵メモリとしての画像保存メモリ１５に記憶されている画像データと、外部メモリとしての外部保存メモリ１９に記憶されている画像データから撮影日順に両方の画像をＬＣＤ表示部１１の表示部７１に表示する。各駒の表示の順番は、撮影日順以外にも、ファイル名順等、種々のやり方を適宜選択すればよい。ここで第６駒〜第９駒に付されている黒塗りの三角マークで表された内蔵メモリ表示７３は内蔵メモリに記憶されて画像であることを示している。また、各駒の中の枠７５とプリント予約マーク７７はプリント予約が選択されていることを示している。プリント予約の駒の選択は、操作部２５のＸＹ釦を用いて表示部７１上でプリント予約したい駒にカーソルを移動させ、ＯＫ釦を押すことによってなされる。また、予約にあたって、駒の画面が小さく見づらい場合には、ズーム用釦７９のテレ側を押すことにより、図６（Ｂ）に示すように画面が拡大され、図６（Ａ）のようにインデックス表示に戻すには、ズーム用釦７９のワイド側を押せばよい。また、プリント予約しても、次のステップＳＴ１７で確定する前であれば、再度、ＸＹ釦を用いて駒を選択した後、ＯＫ釦を押すことによってプリント予約を解除できる。このようにして、プリント予約したい駒の選択や解除を行う。
【００１７】
次に、ユーザーはデジタルカメラ本体に設けられている操作部２５の一つであるプリント予約釦８１を操作すると、ステップＳＴ１３に進み、プリント予約する駒がなかった場合には、ステップＳＴ１５にて本サブルーチンを終了してメインフローに戻る。一方、プリント予約する駒が１駒または複数駒ある場合には、外部メモリが装着されているかを判定する（ＳＴ１７）。判定の結果、外部メモリが装着されている場合には、図６（Ｃ）に示すように、「プリント予約しました」という表示を所定時間(例えば、３秒間)表示し、ユーザーに知らせる。また、ステップＳＴ１９において、内蔵メモリの画像データをプリント予約する場合であって、外部メモリに既にフル状態で記憶されている場合には、これ以上、画像データの書き込みができないので、ステップＳＴ２９において、プリント予約ができないことを表示する。一方、フルではない場合には、ステップＳＴ２１において、プリント予約用のＤＰＯＦファイルを生成する。
【００１８】
ステップＳＴ１７において外部メモリがデジタルカメラに装着されていなかった場合、若しくは、ステップＳＴ２１においてＤＰＯＦファイル生成が終了すると、次に、ステップＳＴ２３に移り、サブＤＰＯＦファイルの生成を行う。これは、外部メモリ用に生成したＤＰＯＦファイルで内蔵メモリに記録された画像のデータであり、内蔵メモリへの記録用である。サブＤＰＯＦファイルの生成が終わると、画像データのコピーが必要か否かの判定を行う（ＳＴ２５）。これは、外部メモリにプリント予約する画像データが記憶されておらず、内蔵メモリに画像データが記憶されている場合に、コピーが「要」と判断されて、ステップＳＴ２７で画像データのコピーが行われる。この画像データのコピーは、内蔵メモリのみに画像データがある場合に限らず、外部メモリにのみ画像データが存在している場合に、サブＤＰＯＦファイルを生成する場合には、併せて、外部メモリから内蔵メモリにもその画像データがコピーされる。このタイミングに合わせて、ＤＰＯＦファイルが外部メモリに書き込まれ、サブＤＰＯＦファイルが内蔵メモリに書き込みが行われる。画像データのコピーが終了すると本サブルーチンを終了し（ＳＴ３１）、メインルーチンに戻る。なお、本実施形態では、ＤＰＯＦファイルとサブＤＰＯＦファイルの書き込み動作を画像データのコピー時に行うようにしているが、それぞれファイルが生成されたタイミングで、それぞれの記憶媒体に書き込み動作を行うようにしてもよい。また、プリント予約を確定した後に、解除したい場合には、再度、プリント予約を行い、ステップＳＴ１３の判断時にプリント予約を解除するように構成してもよい。
【００１９】
図４のパターンaは上述のプリント予約であり、パターンｃは、ステップＳＴ１７で外部メモリが非装着と判断された場合であり、パターンｄは、デジタルカメラ本体の内蔵メモリに記憶された画像データを全く使用しない場合に相当する。パターンｂについては、本実施形態では示されていないが、後述する第２の実施形態と同様のフローを追加することは可能である。
【００２０】
このように、第１実施形態では、第１の記憶部としてのデジタルカメラの内蔵メモリと、第２の記憶部としてのデジタルカメラに装着可能な書換え可能な不揮発性メモリで構成される外部メモリの両方に記憶された画像データを、その保存場所に関わらず統一的に利用することができ、ＤＰＯＦ等の画像管理ファイルを生成する場合には、内蔵メモリに記憶されていた電子画像データを、ユーザーが何ら患わされることなく簡単に外部メモリにコピーすると共に、併せて画像管理ファイル（ＤＰＯＦファイル）も外部メモリに生成することができ、大変便利である。外部メモリをそのままプリント業者に渡し、プリント作成を依頼することができるというメリットがある。
また、画像管理ファイルとしてのＤＰＯＦファイルを新規に生成または修正する場合には、デジタルカメラの内蔵メモリにも副画像管理ファイルとしてのサブＤＰＯＦファイルを生成するので、履歴管理が容易となる。さらに、サブＤＰＯＦファイルを生成・記憶する際に併せて画像データも記憶するようにしているので、サブＤＰＯＦファイルのみでも、画像の管理を行うことができる。両者が競合した場合には、ＤＰＯＦファイルがサブＤＰＯＦファイルよりも優先することから、両者の不一致の問題は生じない。
【００２１】
さらに、第１実施形態では、外部メモリが装着されている場合には、ＤＰＯＦ等の画像管理ファイルは外部メモリに生成するようにデフォルト値が決められているので、外部メモリにユーザーがわざわざ設定しなくても済み便利である。さらに、図６に示すように、内蔵メモリに画像データが記憶されている場合には、内蔵メモリ表示７３がなされるので、画像データと画像管理ファイルがどこにあるかをユーザーが把握することができる。なお、表示のマークは図示のようなマークの他、適宜、表示形態を決めることができ、また、内蔵メモリ以外にも、第３の機器内のメモリに画像データが存在する場合には、これらを識別できるように他の表示を適宜決めればよい。
【００２２】
次に、図６に示した内蔵メモリと外部メモリに記憶された画像データのインデックス表示の第１変形例について図７を用いて説明する。第１実施形態では内蔵メモリと外部メモリに記憶された画像データを日付け順で同一画面に表示していたが、第１変形例では、表示画面の中に内蔵メモリに記憶された画像を表示する第1表示部８５と、外部メモリに記憶された画像を表示する第２表示部８９とを、タブ８５aおよびタブ８９aを切り替えることにより、画像の切り替えを行うようにしたものである。即ち、図５に示すステップＳＴ１１の画像選択のサブルーチンにおいて、内蔵メモリに記憶されている画像を見たい場合には、ＸＹ釦を操作してタブ８５aを選択することにより、図７（Ａ）の画面が表示さる。また、外部メモリに記憶されている画像を見たい場合には、ＸＹ釦を操作してタブ８９aを選択することにより、図７（Ｂ）の画面が表示される。ここで、斜線の施してない駒９１はプリント予約がなされていないことを示しており、一方、斜線の施してある駒９３はプリント予約がなされていることを示している。プリント予約の有る無しの表示は、図６に示したように枠取りするとか、マークを表示する等、種々のやり方から適宜選択すればよい。なお、ＤＰＯＦ表示８７は、内蔵メモリまたは外部メモリに記憶された画像の全部または一部についてプリント予約されていることを表しており、プリント予約されていない場合には、ＤＰＯＦ表示８７は表示されない。図７（Ａ）（Ｂ）の例では、内蔵メモリと外部メモリの両方にＤＰＯＦファイルによってプリント予約が記録されていることを示している。
【００２３】
次に、第２変形例について、図８を用いて説明する。第１変形例では、タブ８５aおよび８９aで画面の切り替えを行っていたが、第２変形例では、図示しない操作釦等の操作部材の操作に応じて、画面の切り替えを行う。即ち、操作釦によって内蔵メモリの画像が選択された場合には、図８（Ａ）に示す表示となり、内蔵メモリに記憶されている画像データが表示される。一方、操作釦によって外部メモリの画像が選択された場合には、図８（Ｂ）に示す表示となり、外部メモリに記憶されている画像データが表示される。なお、図中で、斜線が施してある駒は、第１変形例と同じくプリント予約がなされている駒である。また、第１変形例と同じくＤＰＯＦファイルが記録されている場合には、ＤＰＯＦ表示８７を表示してもよい。
このように、第１および第２変形例では、内蔵メモリおよび外部メモリに記憶されている画像データをそれぞれ区別して表示しているので、いずれの記憶媒体に記憶された画像かを一目で分かるという利点がある。また、ＤＰＯＦファイルの保存先も同様に一目で分かるように表示することも可能である。
【００２４】
次に、本発明の第２実施形態について説明する。第２実施形態の構成は図１に示すブロック図と同様であり、主な相違点は、図５に示したフローを図９に置き換えるだけであるので、この図９について説明し、他は省略する。メインフローからプリント予約のモードに入ると、まず、モードを判定する（ＳＴ４１）。判定の結果、「画像ＡＬＬ」モード、即ち、内蔵メモリに加えて外部メモリが装着されている場合には、内蔵メモリと外部メモリに記憶された全ての画像データを表示するモードとなる。この場合には、ステップＳＴ４３に移り、外部メモリにＤＰＯＦファイルを記憶する。このステップＳＴ４３での動作は、図５のステップＳＴ１１からＳＴ３１までと同様であり、詳細は省略する。
【００２５】
次に、ステップＳＴ４１で、「シェア」モードと判定された場合、即ち、外部Ｉ／Ｆ２７を介して、外部に他のデジタルカメラが接続されている場合である。この場合には、他のデジタルカメラの内蔵メモリに記憶されている画像データを本デジタルカメラのＬＣＤ表示部１１に表示させ、かつプリント予約を行うことができる。他のデジタルカメラを接続すると、本デジタルカメラから他のデジタルカメラに対して、外部Ｉ／Ｆ２７を介して通信を行い、画像データを本デジタルカメラに送信するように命令を出力し、他のデジタルカメラの内蔵メモリから画像データを受け、画像バッファメモリ７に一時的に記憶し、ＬＣＤ表示部１１で表示を行うと共にプリント予約を行う。
【００２６】
このようにして、本デジタルカメラと他のデジタルカメラの内蔵メモリにそれぞれ記憶されている画像データをＬＣＤ表示部１１で表示させ、プリント予約の確定を行うと(即ち、図５のステップＳＴ１３に対応した指令)、図４で説明したパターン２の場合と同じく、本デジタルカメラの内蔵メモリに、プリント予約した画像データのコピーがなされると共に、ＤＰＯＦファイルの記録がなされ（ステップＳＴ４５）、本サブルーチンを終了して、メインルーチンに戻る。
【００２７】
本第２実施形態においては、外部にあり、外部Ｉ／Ｆを介して接続した他のデジタルカメラの内蔵メモリに記憶されている画像も取り込んでプリント予約できるので、大変便利である。他のデジタルカメラには、副画像管理ファイルとして、サブＤＰＯＦファイルを生成し、記録させてもよい。この場合でも他のデジタルカメラに記録されたファイルはサブであることから、両者が競合した場合には、ＤＰＯＦファイルがサブＤＰＯＦファイルよりも優先するので、両者が不一致であったとしても問題は生じない。また、第２実施形態では、画像管理ファイルとしてのＤＰＯＦファイルの生成を、本デジタルカメラの内蔵メモリのデフォルト値としているので、ユーザーがわざわざ設定する必要がないという利点がある。
【００２８】
なお、ステップＳＴ４１において、外部メモリも装着されておらず、また他のデジタルカメラも接続されていない場合には、画像ＡＬＬモードとして扱い、図５のステップＳＴ１７でＮＯが選択された場合と同様のフローとすればよい。また、他のデジタルカメラとは外部Ｉ／Ｆを介してケーブルで接続したが、これに限らず無線機器等により接続しても構わない。
【００２９】
次に、本発明の第３実施形態について、図１０を用いて説明する。この第３実施形態は、内蔵メモリや外部メモリ等に複数のＤＰＯＦファイルが存在する場合にいずれを優先するかについて、ユーザーが適宜選択できるようにしたものである。ここで複数のＤＰＯＦファイルの存在とは、第1実施形態に示したようにＤＰＯＦファイルとサブＤＰＯＦファイルの両ファイルが存在している場合や、また、同順位のＤＰＯＦファイルが存在している場合等を指す。第３実施形態の構成は、図５のフローを図１０に置き換え、図１の操作部２５に、「日付け優先」「外部メモリ優先」のいずれかをユーザーが選択するための操作手段を設ける。その他は第1実施形態と同様であるので、相違点を説明する。
【００３０】
まず、メインフローからプリント予約のモードに入ると、プリント予約等を記録したＤＰＯＦが複数あるかを判定する（ＳＴ５１）。ＤＰＯＦファイルが複数ない場合には、特に優先順位を設ける必要はないので、本サブルーチンを終了し（ＳＴ６１）、メインルーチンに戻る。ＤＰＯＦファイルが複数存在している場合には、ステップＳＴ５３に進み、操作部２５によって設定されている優先モードを検出する。優先モードのデフォルト値は外部優先モードとなっているので、操作部２５によって選択されていない限り、外部優先モードが設定されている。外部メモリ優先であった場合には、ステップＳＴ５９に進み、外部メモリに記録されているＤＰＯＦファイルを読み出し、表示すると共に、ＤＰＯＦファイルについて新規作成や、追加・修正があった場合には、記録先を外部メモリとする。またサブＤＰＯＦファイルの読み出し・書き込みが必要な場合は内蔵メモリに設定する。このステップＳＴ５９での動作は、図５のステップＳＴ１１からＳＴ３１までと同様であり、詳細は省略する。
【００３１】
一方、日付け優先に設定されている場合には、ステップＳＴ５７に進み、内蔵メモリや外部メモリ等に記録されているＤＰＯＦファイルの中から、一番新しい日付けで記録されているＤＰＯＦファイルを選択し表示すると共に、新しいデータの記録されていた記憶媒体をＤＰＯＦファイルの記録先として設定し、一番新しい日付けのデータの記録された記憶媒体以外の記憶媒体を、サブＤＰＯＦファイルとして記録先として設定する。外部優先でも、日付け優先でもない場合には、ステップＳＴ５５に進み、内蔵メモリを優先とし、内蔵メモリに記録されたＤＰＯＦファイルの読出しと表示を行い、ＤＰＯＦファイルの新規作成や追加・修正を行う場合の記録先として内蔵メモリを設定する。
【００３２】
この第３実施形態は、優先モードの設定状況に応じて動作が異なるが、図１１を用いて、まず基本パターンを説明した後に、この第３実施形態の応用パターンの動作について説明する。パターン１は、内蔵メモリには、画像データが記憶されておらず、外部メモリにのみＤＰＯＦファイルが記憶されている場合である。この場合には、外部メモリから記録されているＤＰＯＦファイルを読出し表示を行い、追加修正等を外部メモリのＤＰＯＦファイルに記録する。パターン２は、外部メモリが装着されていない場合であって、この場合には、内蔵メモリからＤＰＯＦファイルの読出しと表示を行い、これに記録する。パターン３は、内蔵メモリと外部メモリの両方が存在する場合であり、この場合には、外部メモリを優先し、外部メモリのＤＰＯＦファイルの読出しと、追加修正等の記録を行い、内蔵メモリはサブＤＰＯＦファイルの記録場所として使用する。
【００３３】
第３実施形態の動作の応用パターンについて図１１を用いて説明するが、図中、グレイの網がけされているファイルが、優先されることを示す。ここで、優先されるとは、そこにあるＤＰＯＦファイル若しくはサブＤＰＯＦファイルが読出されて表示され、これに書込み動作が行われることを意味する。パターン４は、外部メモリが装着されており、この状態でプリント予約がされると、外部メモリに記憶されたＤＰＯＦファイルが優先される。次に、この状態で外部メモリを抜き出すと、内蔵メモリに記憶されているサブＤＰＯＦファイルが優先される。つまり、この状態では、プリント予約の表示はサブＤＰＯＦファイルに基づいてなされ、またプリント予約の書込みは内蔵メモリのサブＤＰＯＦファイルに対してなされる。その後、再び、外部メモリが装着されると、優先モードが日付け優先に設定されている場合には、ＤＰＯＦファイルおよびサブＤＰＯＦファイルの中から、一番新しい日付けのあるデータに対応したＤＰＯＦファイルが優先される。外部優先モードに設定されている場合には、外部メモリのＤＰＯＦファイルを優先する。外部メモリにＤＰＯＦファイルが存在しない場合には、内蔵メモリのサブＤＰＯＦファイルを優先とする。
【００３４】
パターン４では初めに外部メモリが装着されている場合であったが、パターン５は初めに外部メモリが装着されていない場合である。この場合には、内蔵メモリ中に記憶されているＤＰＯＦファイルを優先する。この後、外部メモリが装着された際に、日付け優先モードに設定されていたとすると、内蔵メモリ中のＤＰＯＦファイルおよび外部メモリ中のＤＰＯＦファイルから、一番新しい日付けを有するデータを検出し、このデータが優先される。外部メモリが装着された際に、外部メモリ優先モードに設定されている場合には、外部メモリのＤＰＯＦファイルが優先される。この後、さらに外部メモリの入れ替えがあった場合には、日付け優先モードか外部優先モードのいずれが選択されているかに応じて、優先するＤＰＯＦファイルを選択する。
【００３５】
パターン４および５では、初めから内蔵メモリに画像データが存在していたが、パターン６では、初めに内蔵メモリに画像データが記憶されていない場合である。この場合は、外部メモリに記憶されているＤＰＯＦファイルを優先する。この後、外部メモリを抜き取り、内蔵メモリにプリント予約する場合には、内蔵メモリのＤＰＯＦファイルを優先とする。即ち、外部メモリを取り去った後に撮像したものであるので、外部メモリは関係なくなるので、内蔵メモリにＤＰＯＦファイルを記憶する。この後、再び、外部メモリを装着した場合には、日付け優先モードか外部優先モードかに応じて優先するＤＰＯＦファイルを選択する。
【００３６】
図１１の各パターンにおいては、内蔵画像データとサブＤＰＯＦファイルしか存在しない場合と、画像データとＤＰＯＦファイルが共に存在する場合とがある。この場合に、同一のアイコンで表示すると、区別がつかないことから、図１２に示すように両者を区別するアイコンを用いる。なお、図６に示すプリント予約マーク７７のアイコンも図１１と同様に区別してもよい。
この第３実施形態では、内蔵メモリと外部メモリの間で、優先モードを選択できるように構成していたが、これに限らず、第２実施形態に示すような内蔵メモリと外部の他のデジタルカメラとの間、また、これらの組み合わせの中で、優先モードを選択するようにしてもよいことは勿論である。
【００３７】
この第３実施形態は、第１実施形態と同様、内蔵メモリと外部メモリの両方を使用し、両方の画像データの中からＤＰＯＦ等の画像管理ファイルによってプリント予約等を行うことができる。さらに、優先モードを変更することによって、ユーザーの使用意図に従って記憶媒体や画像管理ファイルを選択することができる。即ち、日付け、選択、使用状況に応じて複数存在する管理ファイルを選択することが可能である。また、外部メモリのみに記憶されている電子画像に係る画像管理ファイルを新規に生成または修正する場合には、画像表示装置としてのデジタルカメラの内部メモリにサブＤＰＯＦファイルを生成するので、履歴管理が容易となる。さらに、副画像管理ファイルとしてのサブＤＰＯＦファイルを生成・記憶する際に併せて画像データも記憶するようにしているので、履歴が管理できるだけではなく、サブＤＰＯＦファイルのみでも、画像の管理を行うことができる。
【００３８】
以上の如く、上記第１乃至第３実施形態に係る画像表示装置においては、画像データを第１記憶部に記憶するための記憶手段と、上記画像表示装置外に設けられている第２の記憶部に対してデータのやり取りを行うためのデータ制御手段と、上記第１記憶部及び又は上記第２記憶部に記憶された画像データを表示するための表示手段と、少なくとも画像データの処理場所を管理するための管理ファイルを生成する管理ファイル生成手段と、上記画像データから所望の画像データを上記管理ファイルで管理するために指示する指示手段と、この指示手段によって指示された画像データと上記管理ファイルとが異なる記憶部に記憶されているときには、少なくとも上記指示された画像データの主画像を上記管理ファイルの管理する記憶部にコピーするとともに、指示された画像データを管理ファイルに記憶するように制御する制御手段とを具備したので、例えば、外部メモリや他のデジタルカメラ等の第２記憶部に記憶された画像データと、画像表示装置の第１記憶部にあたる内蔵メモリに記憶された画像データの画像管理ファイルを一致させることができる。また、画像管理ファイルに記憶させる際に併せて画像もコピーするようにしているので、必要な作業を一度にまとめて行うので、大変便利である。
また、上記データ制御手段は、画像表示装置に装着可能な外部メモリや、他のデジタルカメラ等の画像表示装置に対して通信手段を介して画像データのやり取りが可能な構成にすれば、外部メモリや他の画像表示装置に記憶された画像データと画像ファイルを一致させることができる。
なお、上記各実施形態において、画像表示装置としてデジタルカメラ等の撮像部を有している例を示したが、本発明は、他の機器等から画像を取り込む画像表示装置や、撮像部を装着・接続可能な画像表示装置等の撮像部を有しない画像表示装置についても適用できる。
【００３９】
また、上記第１乃至第３実施形態に係る画像表示方法においては、第１記憶部と第２記憶部にそれぞれ記憶された画像データからこれらの画像データに基づいて画像を表示し、表示された画像から画像管理ファイルを生成する画像を選択し、選択された画像の画像データと上記画像管理ファイルが記憶されている記憶部が異なっている場合には、上記画像データを画像管理ファイルの存在する記憶部にコピーするようにしたので、画像データと画像管理ファイルの記憶部を一致させることができる。
また、選択された画像の画像データと上記画像管理ファイルが記憶されている記憶部が異なっている場合には、優先順位の高い画像管理ファイルの存在する記憶部に記憶するようにしたので、複数の画像管理ファイルが存在する場合であっても、統一的に画像管理ファイルを記憶させることができる。
さらに、選択された画像の画像データと上記画像管理ファイルが記憶されている記憶部が異なっている場合には、上記画像データの記憶されている記憶部に副画像管理ファイルを生成し記憶するようにしたので、画像データを記憶している記憶部にも履歴を残すことができる。
さらに、上記画像管理ファイルの記憶部は、上記第１実施形態や第２実施形態に開示されているように、予め設定してあるので（例えば、外部メモリ）、ユーザーがわざわざ設定することが必要なく便利である。
【００４０】
さらに、上記画像管理ファイルの記憶部は、上記第３実施形態に開示されているように、例えば、外部メモリ優先、日付け優先で設定することができ、ユーザーの意図に従って設定することができる。
さらに、上記第１記憶部と第２記憶部に記憶されている画像データを表示する際に、記憶部に応じた識別表示を行うようにしたので、画像データの記憶部を容易にユーザーは把握することができる。また、ＤＰＯＦでプリント予約されている等、画像管理ファイルにデータが書き込まれている場合には、表示を行うようにしたので、画像管理データをユーザーが容易に把握することができる。
【図面の簡単な説明】
【００４１】
【図１】第１実施形態に係るデジタルカメラの構成を示すブロック図である。
【図２】内蔵メモリと外部メモリにおける画像データと画像管理データのファイル構造を示す図である。
【図３】画像データとＤＰＯＦファイルの構造を示す図である。
【図４】画像管理用のＤＰＯＦファイルを書き込むメモリと、画像をコピーするタイミングを示す図である。
【図５】第１実施形態における動作を示すフローチャートである。
【図６】第１実施形態においてプリント予約時のＬＣＤ表示部での表示形態を示す図である。
【図７】第１実施形態におけるプリント予約時のＬＣＤ表示部での表示形態の第１変形例を示す図である。
【図８】第１実施形態におけるプリント予約時のＬＣＤ表示部での表示形態の第２変形例を示す図である。
【図９】第２実施形態における動作を示すフローチャートである。
【図１０】第３実施形態における動作を示すフローチャートである。
【図１１】第3実施形態における優先モードの設定状況に応じた動作を示す図である。
【図１２】第３実施形態において使用するアイコンを示す図である。
【符号の説明】
【００４２】
５    撮像部
１１  ＬＣＤ表示部
１５  画像保存メモリ
１９  外部保存メモリ
２１  ＣＰＵ
２５  操作部
２７  外部Ｉ／Ｆ
【図１】
2007166355.tif 000003
【図２】
2007166355.tif 000004
【図３】
2007166355.tif 000005
【図４】
2007166355.tif 000006
【図５】
2007166355.tif 000007
【図６】
2007166355.tif 000008
【図７】
2007166355.tif 000009
【図８】
2007166355.tif 000010
【図９】
2007166355.tif 000011
【図１０】
2007166355.tif 000012
【図１１】
2007166355.tif 000013
【図１２】
2007166355.tif 000014